(57)【要約】      （修正有）【課題】外部制御可能なアクアラングの空気調整器を提供する。【解決手段】放出バルブ(401) を介して、高圧の呼吸可能なガス混合物を給気させるための給気通路(111) につながり、適切な結合手段によって空気調整器第二段階に結合する少なくとも一つの放出口(701) につながっている減圧室(501; 901)を含み、放出バルブ(401) の棒状制御部(431) に接合する弾性変形可能な隔膜(２)のための可撓性の室（可撓室）(801) が存在し、かつ、前記の放出バルブ(401) の棒状制御部(431) を軸方向にスライドさせることができ、前記の減圧室(501; 901)と前記の可撓室(801) との間の直接的なガスの流れを妨げるような環状のチョーク(621; 921)が存在している二段階式アクアラングの空気調整器第一段階において、この空気調整器が前記の減圧室(501; 901)と前記の可撓室(801) とを結び付ける通路(811) を備えており、 その通路に流量調節手段(821) が設けられている。【選択図】  図１
2005147389.tif 000002
【特許請求の範囲】
【請求項１】
放出バルブ(401) を介して、高圧の呼吸可能なガス混合物を給気させるための給気通路(111) につながり、適切な結合手段によって空気調整器第二段階に結合する少なくとも一つの放出口(701) につながっている減圧室(501; 901)を含み、放出バルブ(401) の棒状制御部(431) に接合する弾性変形可能な隔膜(２)のための可撓性の室（可撓室）(801) が存在するような二段階式アクアラングの空気調整器第一段階において、この空気調整器が前記の減圧室(501; 901)と前記の可撓室(801) とを結び付ける通路(811) を備えており、その通路に流量調節手段(821) が設けられていることを特徴とする、二段階式アクアラングの空気調整器第一段階のための圧力調節装置。
【請求項２】
前記の放出バルブ(401) の棒状制御部(431) を軸方向にスライドさせることができ、前記の減圧室(501; 901)と前記の可撓室(801) との間の直接的なガスの流れを妨げるような環状のチョーク(621; 921)を含んでいる、請求項１に記載の圧力調節装置。
【請求項３】
減圧室(501; 901)と可撓室(801) とをつなぐ前記の通路(811) が、前記の第二段階につながり得る放出口(701) の上流側に位置する開口部を経て前記の減圧室に入っているような、請求項１又は請求項２に記載の圧力調節装置。
【請求項４】
前記の圧力調節装置が、空気調整器第二段階につなぐことのできる放出口(701) を複数個備えており、各放出口(701) が適切な通路(911) によって前記の減圧室(901) につながっているような、請求項３に記載の圧力調節装置。
【請求項５】
前記の圧力調節装置が、空気調整器第二段階につなぐことのできる放出口(701) を複数個備えており、各放出口(701) が適切な通路(611) によって分配室(601) につながり、一方、この分配室が前記の減圧室(501) につながっているような、請求項３に記載の圧力調節装置。
【請求項６】
減圧室(501; 901)と可撓室(801) とをつなぐ前記の通路における気流調節のための前記手段(821) が、前記の空気調整器本体(１)の外側から手動で制御可能であるような、前記請求項１ないし５のいずれかに記載の圧力調節装置。
【発明の詳細な説明】
【技術分野】
【０００１】
本発明は、アクアラング、特に、二段階式アクアラングの空気調整器第一段階のための圧力調節装置に関するものである。
【背景技術】
【０００２】
二段階式アクアラングの隔膜式空気調整器の第一段階は通常、減圧室を有し、それが、放出バルブを介して、高圧状態でタンクに含まれている空気やその他の混合ガスの供給源とつながっている。そこでこのガスは、連絡通路を経て空気調整器第二段階に移行する。この放出バルブは、非浸透性の、弾性変形可能な隔膜からなる調節部によって制御されている。隔膜の一面は外部環境につながる室に面している。外部環境圧力は、ダイバーの吸入作用によって第二段階に生じる圧力降下とあいまって、このバルブを開き、このバルブはその後、減圧室に放出されるガスの圧力によって再び閉ざされる。この第一段階の調整によって、一般には第二段階に送られる正常な圧力が生まれるものではあるが、操作の途中では、吸入中のこの中間圧力として遭遇する種々の圧力はつねに次善のものである。理想の圧力と実際の圧力との差異は、ダイビング条件がさらに極端かつ危機的な状態になった場合に、例えば、ダイバーがいっそう深いところに潜ったり、タンクが空になりはじめたり、あるいはダイバーが無呼吸状態になったりした場合に大きくなる。
【０００３】
このような問題を回避するためにこれまで知られている解決法の一つは、放出させようとするガスの流れが通る、隔膜を擁する室、すなわち可撓性の室（以下、可撓室と称する）を設置することによって、この可撓室で生じる圧力降下に基づいて放出バルブの開口ストロークの長さを増大させるようにするものである。このような成果は、第二段階への放出口と、この可撓室との間に、空気調整器本体中に通路を形成させることによってもたらされる。隔膜の可撓性の制御に伴う問題点の一つは、減圧室と可撓室との間に何らかの通路がある場合に、この減圧室におけるバルブを通って出る高圧ガスの影響に関係するものである。
【０００４】
IT-A-1 251 831 号明細書には空気調整器第一段階が開示されており、そこでは、減圧室がスパウト（噴気孔）によって第二段階へのコネクターにつながっており、このスパウトは部分的に降圧室に入り込んでいて、隔膜への影響を避けるようにしている。しかし、このような空気調整器第一段階の製作や基準化はきわめて複雑である。
【特許文献１】IT-A-1 251 831号
【０００５】
IT-A-1 257 365 号明細書で提案されている装置は前述の明細書に記載の装置と同様の成果を得るものであるが、その構成は明らかに単純化されている。すなわち、減圧室と可撓室とを結ぶ通路には、放出バルブの制御部をスライドさせ得るように環状のチョーク（空気吸い込み調節装置）が設けられていて、しかもこれが二つの室の間のガスの直接的な流れを妨げている。この装置はきわめて効果的ではあるが、それでも欠点をいくつか持つ。まずは、可撓室に相応する降圧室における吐出作用を調整する方途が存在せず、また、第二段階への複数のコネクターを有する空気調整器第一段階の製作は、用いられる技術に照らして、きわめて複雑であろうと思われる。
【特許文献２】IT-A-1 257 365号
【発明の開示】
【発明が解決しようとする課題】
【０００６】
従って本発明の目的は、必要に応じて、外部から制御できる手段を用いて、外部とつながっている隔膜可撓性の室中の圧力に対する、放出バルブから放出されるガス流の影響を調整できるようにした、二段階式アクアラングの空気調整器第一段階のための圧力調節装置を提供することにある。
【課題を解決するための手段】
【０００７】
従って、本発明の主題は、放出バルブを介して、高圧の呼吸可能なガス混合物を給気させるための給気通路につながり、適切な結合手段によって空気調整器第二段階に結合する少なくとも一つの放出口につながっている減圧室を包含し、放出バルブの棒状制御部に接合する弾性変形可能な隔膜による可撓性の室が存在し、また、前記の制御部を軸方向にスライドさせ、かつ前記の減圧室と前記の可撓室との間の直接的なガスの流通を妨げる環状のチョークが存在しているような二段階式アクアラングの空気調整器第一段階のための圧力調節装置であって；この圧力調節装置は、前記の減圧室と前記の可撓室とを結び付ける通路を備えており、この通路には流量調節手段が設けられている。
【発明を実施するための最良の形態】
【０００８】
好ましい態様では、減圧室と可撓室とをつなぐ前記の通路は、減圧室に対して放射状に形成され、前述の第二段階につながる放出口の上流側に位置している開口部を経由して減圧室に入っている。
【０００９】
前記の空気調整器第一段階は、空気調整器第二段階に結合させることのできる放出口を複数個備えていれば好都合である。この場合、減圧室には、この放出口から外部に導かれるマニフォールドが設けられている。
【００１０】
本発明のその他の利点や特色は、ここに添付の図面を参照して、限定を意図するものでない実施例として提示する以下のいくつかの態様を詳細に説明する過程で明らかになるであろう。
【００１１】
図１において、１は二段階式水中呼吸用具のための隔膜式空気調整器第一段階の本体を意味する。この本体１には、その軸方向の一端に蛇口101 が設けられており、その中には、タンク（図示せず）に含まれている呼吸可能なガスの混合物のための給気通路111 が形成されている。この通路111 にはフィルター121 が含まれている。この蛇口101 には、リングナット201 によってヨーク10が取り付けられており、一方、このヨークには、正反対方向の端部に、固定ねじ12を制御するノブ11が設けられている。通路111 の内部には、放出バルブ401 の閉止部411 があり、これは台座301 上で作用する。この台座はこの通路の底部に位置して、同軸孔311 を有し、この孔の中でバルブ401 の心棒431 がスライドする。台座301 の同軸孔311 は減圧室501 につながっており、一方、この減圧室は分配室601 につながっていて、この分配室から、放出口701 につながる通路611 が出ていて、この放出口には、空気調整器第二段階（図示せず）に結合させるためのホースがつながれることになる。心棒431 は、分配室601 の壁部分にあるチョーク621 の孔部631 を通って、可撓室801 まで達していて、そこで、隔膜２に対面している面板421 に接合している。隔膜２は、密封部202 によって、また、可撓室801 のねじ付き開口部851 にねじ込まれたリングナット302 によって、室801 中に密閉状態で保持されている。リングナット中にはねじ付き孔部332 が同軸に形成されていて、その中には、流通口322 を有するねじ付きキャップ312 がはめ込まれている。一方、キャップ312 と隔膜２との間にはスプリング102 が挿入されている。可撓室801 は通路811 を介して減圧室501 につながっている。本空気調整器本体１中に形成されて、通路811 ならびに外部につながっている孔部831 には、この孔部831 のねじ切り部841 にはめ込むことができて、通路811 を部分的ないし全面的に塞ぐような掘り込みスクリュー821 がはめ込まれている。
【００１２】
図２は、図１のものに類似しているが次の点で異なる空気調整器第一段階を示している。すなわち、減圧室901 には放射状通路911 が置かれていて、それが放出口701 に直接つながっている。同じような様式で、流通口931 を有するチョーク921 によって、バルブ401 の心棒431 が減圧室901 を通って、隔膜２に対面している面板421 にまで達している。
【００１３】
図３及び図４は、それぞれ図１及び図２に示した二つの態様の相違点をさらに明確にするものである。又、可撓室と減圧室とを連絡状態にしている通路811 の開口部に対応する掘り込みスクリュー821 の位置が明確に観察できる。
【００１４】
本発明装置の作用機作は以下の説明で明らかになるであろう。給気通路111 からバルブ401 を経て減圧室501 又は901 に通じる気流によって生じる吐出効力の制御作用をいっそう大ならしめるために、本発明の圧力調節装置には流量調節手段821 が取り入れられている。バルブの開口ストロークを特に長くする必要がつねにあるわけではないにしても、このように流量調節が可能であることによって、空気調整器は種々の使用事態に対してこれまでよりも適応性あるものとなる。このようにして、図１及び図２に図示した極端な事態のもとで、流量調節手段821 が全く開いた状態では、通路811 によって減圧室のガス流の動きは最大となり、バルブの開口ストロークを増大させる。これに対して、流量調節手段が全く閉じた状態では、バルブ401 に対する影響は、隔膜に対する外圧の作用のみとなるだろう。
【００１５】
さらには、通路811 の端部が減圧室中の放出口701 の上流側に存在しているという事実は、本発明の空気調整器が、その機能性を損なうことなしに複数個の放出口をもって製作し得ることを意味する。この場合の要点は、もし、可撓室と降圧室（すなわち減圧室及び放出口の全体）との間の連絡通路が、放出口自体の箇所に形成されているならば、複数の放出口を有する空気調整器の場合には二つの問題点が存在するだろう。それはすなわち、その構造の設計の複雑さ、ならびに、特に、放出口のところでガス流の速度が急速に低下して、吐出効力が大いに制限されるという事実である。
【００１６】
それぞれ図１と図３、ならびに図２と図４に示した二つの任意選択的態様は、各種の放出口と減圧室との間をつなげる機構に関するものである。第１のケースでは、減圧室501 と放出口701 との間に分配室601 があり、そこから通路611 が出て放出口701 に導かれる。一方、第２のケースでは、通路911 は直接的に減圧室から出ている。この二つの事例は実質的に類似しているが、第１は、減圧室501 に比べて分配室601 の大きさが大きいことから、比較的多数の放出口を保持することができる。第２のケースで採用したものは、構成条件が単純であり、比較的少ない数の放出口に適している。
【図面の簡単な説明】
【００１７】
【図１】本発明装置の１実施態様の断面図
【図２】本発明装置の他の実施態様の断面図
【図３】図１で示す装置の線III−IIIにおける断面図
【図４】図２で示す装置の線IV−IVにおける断面図
【符号の説明】
【００１８】
１  隔膜式空気調整器第一段階の本体 
２  隔膜
10  ヨーク
11  ノブ
12  固定ねじ
101  蛇口
102  スプリング
111  給気通路
121  フィルター
201  リングナット
202  密閉部
301  台座
302  リングナット
311  同軸孔
312  ねじ付きキャップ
322  流通孔
332  ねじ付き孔部
401  放出バルブ
411  閉止部
421  面板
431  心棒、 棒状制御部
501  減圧室
601  分配室
611  通路
621  チョーク
631  孔部
701  放出口
801  可撓性の室（可撓室）
811  通路
821  掘り込みスクリュー、 流量調節手段
831  孔部
841  ねじ切り部
851  ねじ付き開口
901  減圧室
911  放射状通路
921  チョーク
931  流通孔
【図１】
2005147389.tif 000003
【図２】
2005147389.tif 000004
【図３】
2005147389.tif 000005
【図４】
2005147389.tif 000006